(57)【特許請求の範囲】
【請求項１】
無線伝送信号を受信する複数の受信手段と、
前記受信手段によって受信された信号に対し、増幅、同調、周波数変換の少なくとも一つの処理を行う複数の信号処理手段と、
前記信号処理手段から出力された信号の信号レベルを調整するレベル調整手段と、
前記レベル調整手段は、前記信号処理手段から出力された複数の信号に含まれる信号である第１及び第２の選択信号について、前記第２の選択信号の位相を調整する位相調整手段と、前記位相調整手段により位相を調整された第２の選択信号の信号レベルを調整する選択信号レベル調整手段と、前記第１の選択信号と前記選択信号レベル調整手段により調整された第２の選択信号を加算し、出力する加算手段とを備え、
前記信号処理手段から出力される信号または前記レベル調整手段から出力される信号のいずれかの信号を選択する選択手段と、
前記選択手段から出力された信号を復調する復調手段と、
前記信号処理手段から出力された信号の信号レベルを検出する複数の受信レベル検出手段と、
前記レベル調整手段の出力信号の信号レベルを検出する調整信号レベル検出手段と、
前記受信レベル検出手段により検出された信号のレベル及び前記調整信号レベル検出手段により検出された信号のレベルに基づいて、前記復調手段に入力される信号が所定レベル範囲内の信号となるように前記レベル調整手段及び前記選択手段を制御する制御手段とを有することを特徴とする受信装置。
【請求項２】
前記位相調整手段は、信号の位相を反転させる反転器であることを特徴とする請求項１記載のダイバーシティ受信装置。
【請求項３】
前記選択信号レベル調整手段は、信号のレベルを減衰させる減衰器であることを特徴とする請求項２記載のダイバーシティ受信装置。
【請求項４】
請求項３記載のダイバーシティ受信装置と、前記ダイバーシティ受信装置から出力された信号に基づき、映像を表示する表示手段とを有することを特徴とする表示装置。
【請求項５】
請求項３記載のダイバーシティ受信装置と、前記ダイバーシティ受信装置から出力された信号に基づき、音声を出力する音声出力手段と、を有することを特徴とする音声出力装置。
【請求項６】
請求項３記載のダイバーシティ受信装置と、前記ダイバーシティ受信装置から出力された信号に基づき、データを出力するデータ出力手段とを有することを特徴とするデータ出力装置。
【発明の詳細な説明】
【０００１】
【発明の属する技術分野】
本発明は、放送または通信の無線伝送信号の受信に使用されるダイバーシティ受信装置並びにこれを用いた表示装置及び音声出力装置に関し、特に強電界においても使用できる装置に関する。
【０００２】
【従来の技術】
電波を用いて無線伝送された信号を受信するとき、送信側より伝送路を直接に伝搬して受信される直接波だけでなく、伝送路中のある反射物体により反射された間接波が生じ、これが直接波に干渉してマルチパスが生じる。このマルチパス環境下での伝送特性は、特に移動体受信をする場合には固定受信と比較して劣悪である。その伝送特性の変動による影響を少なくし、良好な受信品質を確保するためにダイバーシティ方式を採用することが行われている。
【０００３】
従来の空間ダイバーシティ受信装置としては、複数のアンテナより受信された信号の信号レベルを比較し、その比較結果をもとにアンテナの切り替えを行う選択方式と、複数のアンテナにより受信された信号をそれぞれ加算して用いる加算方式が知られている。前者の例として、特開平６−１７７８０５号公開特許公報にダイバーシティ受信装置の構成が開示されている。また、後者の例として、特開２０００−２７８２４３号公開特許公報にダイバーシティ受信装置の構成が開示されている。
【０００４】
【発明が解決しようとする課題】
上述の説明のように従来のダイバーシティ受信装置は、受信回路に入力される信号レベルが弱い場合、すなわち受信側が電界強度の弱い地域を移動する場合のみを想定している。しかし、受信側が移動する地域によっては電界強度が強く、受信信号の信号レベルが大きくなりすぎる場合もある。すなわち、放送用または通信用の電波を発信している送信側の近くを受信側が移動した場合に、受信信号の信号レベルが受信回路の入力レベルとして許容される範囲の上限を上回ってしまう場合もある。
【０００５】
放送または通信の無線伝送信号の受信に使用される受信装置において、特にデジタル放送またはデジタル通信の無線伝送信号の受信に使用される受信装置は、受信信号を復調する復調回路の前段にアナログ信号からデジタル信号に変換するＡ／Ｄ変換器を有している。例えば、受信信号がこのＡ／Ｄ変換器の入力許容範囲の上限を超えるとき、このＡ／Ｄ変換器は信号レベルを正確にサンプリングすることができず、受信装置の受信性能が悪化してしまう。したがって、移動体が電界強度の強い地域を移動し、受信信号の信号レベルがＡ／Ｄ変換器の入力許容範囲の上限を超える場合には、それを減衰させる必要がある。
【０００６】
本発明の目的は、上記の課題を解決し、電界強度が強すぎる場合においても効率的な受信信号の信号レベルの調整を行うことのできるダイバーシティ受信装置を提供することにある。
【０００７】
【課題を解決するための手段】
本発明の目的を達成するために、例えば、無線伝送信号を受信する複数の受信手段と、
前記受信手段によって受信された信号に対し、増幅、同調、周波数変換の少なくとも一つの処理を行う複数の信号処理手段と、前記信号処理手段から出力された信号の信号レベルを調整するレベル調整手段と、前記レベル調整手段は、前記信号処理手段から出力された複数の信号に含まれる信号である第１及び第２の選択信号について、前記第２の選択信号の位相を調整する位相調整手段と、前記位相調整手段により位相を調整された第２の選択信号の信号レベルを調整する選択信号レベル調整手段と、前記第１の選択信号と前記選択信号レベル調整手段により調整された第２の選択信号を加算し、出力する加算手段とを備え、前記信号処理手段から出力される信号または前記レベル調整手段から出力される信号のいずれかの信号を選択する選択手段と、前記選択手段から出力された信号を復調する復調手段と、前記信号処理手段から出力された信号の信号レベルを検出する複数の受信レベル検出手段と、前記レベル調整手段の出力信号の信号レベルを検出する調整信号レベル検出手段と、前記受信レベル検出手段により検出された信号のレベル及び前記調整信号レベル検出手段により検出された信号のレベルに基づいて、前記復調手段に入力される信号が所定レベル範囲内の信号となるように前記レベル調整手段及び前記選択手段を制御する制御手段とを有するように構成すればよい。
【０００９】
このダイバーシティ受信装置により、電界強度が強すぎる場合においても、入力された高周波信号の信号レベルが復調手段の入力許容範囲の上限を下回る信号を復調手段に供給することが可能となる。
【００１０】
【発明の実施の形態】
以下、図面を参照して本発明の実施形態を詳細に説明する。図１は本発明に係る第１及び第２の実施形態におけるダイバーシティ受信装置の構成を示すブロック図である。１０−１、１０−２〜１０−Ｎは受信アンテナ、２０−１、２０−２〜２０−Ｎは受信高周波部、３０−１、３０−２〜３０−Ｎは受信レベル検出回路、４０は受信高周波部２０−１、２０−２〜２０−Ｎの出力信号の信号レベルを調整して一つの信号を出力するレベル調整回路、５０は受信高周波部２０−１、２０−２〜２０−Ｎの出力信号およびレベル調整回路４０の出力信号から一つの信号を選択する選択回路、６０はレベル調整回路４０の出力信号レベルを検出する調整信号レベル検出回路、７０は制御回路、８０は復調部、８１はＡ／Ｄ変換器、８２は復調回路である。
【００１１】
このダイバーシティ受信装置はそれぞれ電波を受信する複数のアンテナ１０−１〜１０−Ｎが取り付けられている。アンテナ１０−１で受信された電波は受信高周波部２０−１で増幅、同調、周波数変換される。受信高周波部２０−１で増幅、同調、周波数変換された受信出力は受信レベル検出回路３０−１に供給されると共にレベル調整回路４０と選択回路５０に供給される。その他のアンテナ１０−２〜１０−Ｎもアンテナ１０−１と同様の動作を行う。図１には図示していないが、受信レベル検出回路３０−１、３０−２〜３０−Ｎによって検出された受信信号レベルの検出出力は制御回路７０に供給される。レベル調整回路４０でレベル調整された受信信号は選択回路５０に供給されると共に調整信号レベル検出回路６０に供給される。調整信号レベル検出器６０によって検出された調整信号レベルの検出出力は制御回路７０に供給される。この制御回路７０は受信レベル検出回路３０−１、３０−２〜３０−Ｎの検出結果と調整信号レベル検出回路６０の検出結果に基づいて、Ａ／Ｄ変換器８１に供給される信号の信号レベルが入力許容範囲内となるようにレベル調整回路４０と選択回路５０を制御する。選択回路５０において選択された出力は復調部８０内のＡ／Ｄ変換器８１に供給される。Ａ／Ｄ変換器８１によってアナログ信号からデジタル信号に変換されたデジタル信号出力は復調回路８２に供給される。そのデジタル信号出力は復調回路８２によって復調され、出力信号となる。
【００１２】
ここで、第１の実施形態においては、図１の制御回路７０によって、受信レベル検出回路３０−１、３０−２〜３０−Ｎの検出出力のすべてがＡ／Ｄ変換器８１の入力許容範囲の上限を上回ると判定された場合、レベル調整回路４０の出力を選択回路５０に選択させる。また、制御回路７０によって、受信レベル検出回路３０−１〜３０−Ｎの少なくとも一つの検出出力がＡ／Ｄ変換器８１の入力許容範囲の上限を下回ると判定された場合、Ａ／Ｄ変換器８１の入力許容範囲の上限を下回ると判定された受信高周波部２０−１、２０−２〜２０−Ｎの出力信号の内で最も大きな信号レベルを有する出力端子を選択回路５０に選択させる。
【００１３】
第１の実施形態の構成において選択回路５０がレベル調整回路４０の出力を選択した場合の動作を、以下図２を参照して詳細に説明する。図２は本発明に係る第１の実施形態におけるレベル調整回路４０の構成の例を示すものである。４０１は選択回路、４０２は反転器、４０３は減衰器、４０４は加算器である。図２の入力１、２〜Ｎはそれぞれ受信高周波部２０−１，２０−２〜２０−Ｎの出力であり、選択回路４０１に供給される。選択回路４０１は図１の制御回路７０によって、受信レベル検出回路３０−１、３０−２〜３０−Ｎの検出結果に基づいて、入力された信号から最も大きな信号レベルの信号と２番目に大きな信号レベルの信号を選択するように制御される。選択回路４０１によって選択された最も大きな信号レベルを有する信号は選択信号１として出力され、加算器４０４に供給される。選択回路４０１によって選択された他方の信号は選択信号２として出力され、反転器４０２に供給される。反転器４０２は入力された信号の位相を反転させるもので、その出力は減衰器４０３に供給される。減衰器４０３の減衰量は減算処理後の出力信号がＡ／Ｄ変換器８１の入力許容範囲内の信号レベルになるように、図１の調整信号レベル検出回路６０の検出結果に基づいて、制御回路７０により制御される。減衰器４０３で減衰された信号は加算器４０４に供給される。加算器４０４は選択信号１に、選択信号２の信号を反転、減衰させた信号を加算した信号を出力するもので、その出力はレベル調整回路４０の出力信号として選択回路５０に供給される。
【００１４】
したがって、上記構成によるダイバーシティ受信装置を用いれば、各アンテナで受信した信号の信号レベルを比較し、これらすべての信号の信号レベルがＡ／Ｄ変換器の入力許容範囲の上限を超えると判定された場合に、その比較結果に基づいて一方の受信信号から他方の受信信号を減衰させた信号を減算させることにより、Ａ／Ｄ変換器の入力許容範囲の上限を下回る信号レベルの信号を供給することができる。
【００１５】
なお、図２において、反転器４０２を用いているが、位相を調整する移相器であってもよい。
【００１６】
図３は本発明に係る第２の実施形態におけるダイバーシティ受信装置のレベル調整回路の構成を示すブロック図である。第２の実施形態におけるダイバーシティ受信装置の構成は、図２に示した第１の実施形態におけるダイバーシティ受信装置のレベル調整回路４０の構成が図３に示した構成に置換されている。第２の実施形態におけるダイバーシティ受信装置において、図１に示した第１の実施形態との動作の差は、図１における制御回路７０の制御方法が異なる点にある。
【００１７】
以下、図３のレベル調整回路を用いた第２の実施形態におけるダイバーシティ受信装置の制御回路７０の動作を説明する。ここで、第２の実施形態においては、図１の制御回路７０によって、受信レベル検出回路３０−１、３０−２〜３０−Ｎの検出出力のすべてがＡ／Ｄ変換器８１の入力許容範囲の上限を上回ると判定された場合、レベル調整回路４０の出力を選択回路５０に選択させる。また、図１の制御回路７０によって、受信レベル検出回路３０−１〜３０−Ｎの少なくとも一つの検出出力がＡ／Ｄ変換器８１の入力許容範囲の上限を下回ると判定された場合、Ａ／Ｄ変換器８１の入力許容範囲の上限を下回ると判定された受信高周波部２０−１、２０−２〜２０−Ｎの出力信号の内で最も大きな信号レベルを有する出力端子を選択回路５０に選択させる。また、図１の制御回路７０によって、受信レベル検出回路３０−１、３０−２〜３０−Ｎの検出出力のすべてがＡ／Ｄ変換器８１の入力許容範囲の下限を下回ると判定された場合、レベル調整回路４０の出力を選択回路５０に選択させる。
【００１８】
第２の実施形態の構成において選択回路５０がレベル調整回路４０の出力を選択した場合の動作を、以下図３を参照して詳細に説明する。図３のレベル調整回路において、４０１は選択回路、４０３は減衰器、４０４は加算器、４０５は移相器である。図３の入力１、２〜Ｎはそれぞれ受信高周波部２０−１，２０−２〜２０−Ｎの出力であり、選択回路４０１に供給される。選択回路４０１は図１の制御回路７０によって、受信レベル検出回路３０−１、３０−２〜３０−Ｎの検出結果に基づいて、入力された信号から最も大きな信号レベルの信号と２番目に大きな信号レベルの信号を選択するように制御される。選択回路４０１によって選択された最も大きな信号レベルを有する信号は選択信号１として出力され、加算器４０４に供給される。選択回路４０１によって選択された他方の信号は選択信号２として出力され、移相器４０５に供給される。移相器４０５は入力された信号の位相を調整するもので、その出力は減衰器４０３に供給される。移相器４０５の移相量と減衰器４０３の減衰量は減算処理後の出力信号がＡ／Ｄ変換器８１の入力許容範囲内の信号レベルになるように、図１の調整信号レベル検出回路６０の検出結果に基づいて、制御回路７０により制御される。減衰器４０３で減衰された信号は加算器４０４に供給される。加算器４０４は選択信号１に、選択信号２の信号の移相を調整、減衰させた信号を加算した信号を出力するもので、その出力はレベル調整回路４０の出力信号として選択回路５０に供給される。
【００１９】
すなわち、図１の制御回路７０によって、受信レベル検出回路３０−１、３０−２〜３０−Ｎの検出出力のすべてがＡ／Ｄ変換器８１の入力許容範囲の上限を上回ると判定された場合、レベル調整回路は減算器として動作し、図１の制御回路７０によって、受信レベル検出回路３０−１、３０−２〜３０−Ｎの検出出力のすべてがＡ／Ｄ変換器８１の入力許容範囲の下限を下回ると判定された場合、レベル調整回路は加算器として動作する。
【００２０】
したがって、上記構成によるダイバーシティ受信装置を用いれば、各アンテナで受信した信号の信号レベルを比較し、これらすべての信号の信号レベルがＡ／Ｄ変換器の入力許容範囲の上限を超えると判定された場合に、その比較結果に基づいて最も大きな信号レベルを有する受信信号から２番目に大きな受信レベルを有する受信信号を減衰させた信号を減算させることにより、Ａ／Ｄ変換器の入力許容範囲の上限を下回る信号レベルの信号を供給することができる。また、各アンテナで受信した信号の信号レベルを比較し、これらすべての信号の信号レベルがＡ／Ｄ変換器の入力許容範囲の下限を下回ると判定された場合に、その比較結果に基づいて最も大きな信号レベルを有する受信信号に２番目に大きな信号レベルを有する受信信号の位相を調整し、減衰させた信号を加算することにより、Ａ／Ｄ変換器の入力許容範囲の下限を上回る信号レベルの信号を供給することができる。
【００２１】
なお、本発明に係る第１及び第２の実施形態において選択回路４０１で選択される信号は、上記の条件に限られものではなく、図２および図３のレベル調整回路によって、レベル調整後の信号レベルがＡ／Ｄ変換器８１の入力許容範囲内になるような信号を選択することも可能である。
【００２２】
図４は本発明に係る第３及び第４の実施形態におけるダイバーシティ受信装置の構成を示すブロック図である。１０−１、１０−２〜１０−Ｎ、２０−１、２０−２〜２０−Ｎ、３０−１、３０−２〜３０−Ｎ、４０、６０および８０、８１，８２については図１と同様であり、７１は制御回路である。
【００２３】
図４における第３の実施形態の構成において、図１に示した第１の実施形態との構成の差は、図１における選択回路５０が省かれ、Ａ／Ｄ変換器８１入力される信号は全てレベル調整回路４０の出力から供給される点と、図１の制御回路７０が制御方法の異なる制御回路７１に置換された点にある。ここで、第３の実施形態における図４のレベル調整回路４０の構成は、図２に示したレベル調整回路４０の構成と同じである。以下、図２及び図４を参照して、図２のレベル調整回路を用いた時の第３の実施形態におけるダイバーシティ受信装置の制御回路７１とレベル調整回路４０の動作を説明する。
【００２４】
ここで、第３の実施形態においては、図４の制御回路７１によって、受信レベル検出回路３０−１、３０−２〜３０−Ｎの検出出力のすべてがＡ／Ｄ変換器８１の入力許容範囲の上限を上回ると判定された場合、図２の選択回路４０１は、受信レベル検出回路３０−１、３０−２〜３０−Ｎの検出結果に基づいて、入力された信号から最も大きな信号レベルの信号を選択信号１として、２番目に大きな信号レベルの信号を選択信号２として選択するように制御回路７１によって制御される。このとき、減衰器４０３の減衰量は減算処理後の出力信号がＡ／Ｄ変換器８１の入力許容範囲内の信号レベルになるように、図１の調整信号レベル検出回路６０の検出結果に基づいて、制御回路７０により制御され、レベル調整回路４０は減算器として動作する。
【００２５】
また、図１の制御回路７０によって受信レベル検出回路３０−１、３０−２〜３０−Ｎの少なくとも一つの検出出力がＡ／Ｄ変換器８１の入力許容範囲の上限を下回ると判定された場合、図２の選択回路４０１は、Ａ／Ｄ変換器８１の入力許容範囲の上限を下回ると判定された受信高周波部２０−１、２０−２〜２０−Ｎの出力信号の内で最も大きな信号レベルを有する出力端子を選択信号１として、且つ、任意の出力端子を選択信号２として選択するように、制御回路７１によって制御される。
【００２６】
このとき、減衰器４０３の減衰量は無限大となるように、制御回路７０により制御され、レベル調整回路４０は選択回路として動作する。したがって、上記構成によるダイバーシティ受信装置を用いれば、各アンテナで受信した信号の信号レベルを比較し、これらすべての信号の信号レベルがＡ／Ｄ変換器の入力許容範囲の上限を超えると判定された場合に、その比較結果に基づいて一方の受信信号から他方の受信信号を減衰させた信号を減算させることにより、Ａ／Ｄ変換器の入力許容範囲の上限を下回る信号レベルの信号を供給することができる。
【００２７】
第４の実施形態におけるダイバーシティ受信装置の構成は、図２に示した第３の実施形態におけるダイバーシティ受信装置のレベル調整回路４０の構成が図３に示した構成に置換されている。第４の実施形態におけるダイバーシティ受信装置において、図４に示した第３の実施形態との動作の差は、図４における制御回路７１の制御方法が異なる点にある。以下、図３及び図４を参照して、図３のレベル調整回路を用いた時の第４の実施形態におけるダイバーシティ受信装置の制御回路７１とレベル調整回路４０の動作を説明する。
【００２８】
ここで、第４の実施形態においては、図４の制御回路７１によって、受信レベル検出回路３０−１、３０−２〜３０−Ｎの検出出力のすべてがＡ／Ｄ変換器８１の入力許容範囲の上限を上回ると判定された場合、図３の選択回路４０１は、受信レベル検出回路３０−１、３０−２〜３０−Ｎの検出結果に基づいて、入力された信号から最も大きな信号レベルの信号を選択信号１として、２番目に大きな信号レベルの信号を選択信号２として選択するように制御回路７１によって制御される。このとき、減衰器４０３の減衰量は減算処理後の出力信号がＡ／Ｄ変換器８１の入力許容範囲内の信号レベルになるように、図４の調整信号レベル検出回路６０の検出結果に基づいて、制御回路７１により制御され、レベル調整回路４０は減算器として動作する。
【００２９】
また、図４の制御回路７１によって受信レベル検出回路３０−１、３０−２〜３０−Ｎの少なくとも一つの検出出力がＡ／Ｄ変換器８１の入力許容範囲の上限を下回ると判定された場合、図３の選択回路４０１は、Ａ／Ｄ変換器８１の入力許容範囲の上限を下回ると判定された受信高周波部２０−１、２０−２〜２０−Ｎの出力信号の内で最も大きな信号レベルを有する出力端子を選択信号１として、且つ、任意の出力端子を選択信号２として選択するように、制御回路７１によって制御される。このとき、減衰器４０３の減衰量は無限大となるように、制御回路７１により制御され、レベル調整回路４０は選択回路として動作する。
【００３０】
また、図４の制御回路７１によって、受信レベル検出回路３０−１、３０−２〜３０−Ｎの検出出力のすべてがＡ／Ｄ変換器８１の入力許容範囲の下限を下回ると判定された場合、図３の選択回路４０１は、受信レベル検出回路３０−１、３０−２〜３０−Ｎの検出結果に基づいて、入力された信号から最も大きな信号レベルの信号を選択信号１として、２番目に大きな信号レベルの信号を選択信号２として選択するように制御回路７１によって制御される。このとき、減衰器４０３の減衰量は加算処理後の出力信号がＡ／Ｄ変換器８１の入力許容範囲内の信号レベルになるように、図１の調整信号レベル検出回路６０の検出結果に基づいて、制御回路７１により制御され、レベル調整回路４０は加算器として動作する。
【００３１】
したがって、上記構成によるダイバーシティ受信装置を用いれば、各アンテナで受信した信号の信号レベルを比較し、これらすべての信号の信号レベルがＡ／Ｄ変換器の入力許容範囲の上限を超えると判定された場合に、その比較結果に基づいて最も大きな信号レベルを有する受信信号から２番目に大きな受信レベルを有する受信信号を減衰させた信号を減算させることにより、Ａ／Ｄ変換器の入力許容範囲の上限を下回る信号レベルの信号を供給することができる。
【００３２】
また、各アンテナで受信した信号の信号レベルを比較し、これらすべての信号の信号レベルがＡ／Ｄ変換器の入力許容範囲の下限を下回ると判定された場合に、その比較結果に基づいて最も大きな信号レベルを有する受信信号に２番目に大きな信号レベルを有する受信信号の位相を調整し、減衰させた信号を加算することにより、Ａ／Ｄ変換器の入力許容範囲の下限を上回る信号レベルの信号を供給することができる。
【００３３】
なお、本発明に係る第３及び第４の実施形態において選択回路４０１で選択される信号は、上記の条件に限られものではなく、図２および図３のレベル調整回路によって、レベル調整後の信号レベルがＡ／Ｄ変換器８１の入力許容範囲内になるような信号を選択することも可能である。
【００３４】
また、第１から第４の実施形態において、ダイバーシティ受信装置は調整信号レベル検出回路６０を有していたが、その構成を有していなくても、制御回路７０、７１は、受信レベル検出回路の検出結果に基づき、レベル調整回路４０の制御を行うことができる。
【００３５】
また、本発明に係る第１〜第４の実施形態において、復調部内の入力段はＡ／Ｄ変換器に限定されるものではない。
【００３６】
また、レベル検出回路の検出方法としては、尖頭値検波、実効値検波、平均値検波が考えられるが、回線の品質に応じて適当な検出方法を選択すればよい。
【００３７】
なお、上記ダイバーシティ受信装置を用いた応用例としては、表示装置や音声出力装置等が考えられる。
【００３８】
【発明の効果】
以上説明したように、本発明によれば、電界強度が強すぎる場合においても効率よく受信信号の信号レベルの調整が可能となるダイバーシティ受信装置を提供できる。
【図面の簡単な説明】
【図１】本発明に係る第１及び第２の実施形態におけるダイバーシティ受信装置の構成を示すブロック図である。
【図２】本発明に係る第１及び第３の実施形態に用いられるレベル調整回路の構成の例を示すブロック図である。
【図３】本発明に係る第２及び第４の実施形態に用いられるレベル調整回路の構成の例を示すブロック図である。
【図４】本発明に係る第３及び第４の実施形態におけるダイバーシティ受信装置の構成を示すブロック図である。
【符号の説明】
１０−１〜１０−Ｎ・・・アンテナ
２０−１〜２０−Ｎ・・・受信高周波部
３０−１〜３０−Ｎ・・・受信レベル検出回路
４０・・・・・・・・・・レベル調整回路
５０・・・・・・・・・・選択回路
６０・・・・・・・・・・調整信号レベル検出回路
７０、７１・・・・・・・制御回路
８０・・・・・・・・・・復調部
８１・・・・・・・・・・Ａ／Ｄ変換器
８２・・・・・・・・・・復調回路
４０１・・・・・・・・・選択回路
４０２・・・・・・・・・反転器
４０３・・・・・・・・・減衰器
４０４・・・・・・・・・加算器
４０５・・・・・・・・・移相器
【図１】
0003671902.tif 000002
【図２】
0003671902.tif 000003
【図３】
0003671902.tif 000004
【図４】
0003671902.tif 000005